(57)【要約】【課題】加圧部材の回動支持を確実に行いつつ、コネクタの低背化を図る平型導体用電気コネクタを提供することを課題とする。【解決手段】加圧部材５０が閉位置への回動で平型導体Ｐと端子２０，３０の接触部２２Ａ，３１Ａとの接圧を高める平型導体用電気コネクタにおいて、金属板から作られていてその板面が端子の板面と平行をなしている金具部材４０を有し、ハウジングは端子の配列方向に複数の保持部１４，１６，１７が所定間隔で形成されていて、保持部１４，１６，１７で端子及び金具部材が保持されており、端子の接触腕がハウジングの底壁側で平型導体の挿抜方向に延びており、金具部材が接触腕２２，３１よりも上方位置で支持腕４２を有し、支持腕が加圧部材を回動可能に支持する支持部４２Ａを有しており、ハウジングの前部側上面を覆うようにシールド板６０が該ハウジング１０に取り付けられている。【選択図】図５
2009277563.tif 000002
【特許請求の範囲】
【請求項１】
金属板の平坦な板面を維持して作られた複数の端子がそれらの板面同士を平行としてハウジングにより配列保持され、各端子はハウジングへの取付けのための被取付部が設けられている基部から延びる接触腕を有し、上記ハウジングが上記接触腕の接触部上へハウジング外から前方に向け挿入される平型導体の先端部を受入れ可能とした受入部を形成しており、この平型導体の受入れを容易とする開位置から該平型導体を上記接触腕へ圧する閉位置の間で回動可能な加圧部材がハウジングの後部側に設けられていて、該加圧部材が閉位置への回動で平型導体と上記接触部との接圧を高めるようになっている平型導体用電気コネクタにおいて、金属板から作られていてその板面が端子の板面と平行をなしている金具部材を有し、ハウジングは端子の配列方向に複数の保持部が所定間隔で形成されていて、該保持部で上記端子及び金具部材が保持されており、該端子の接触腕がハウジングの底壁側で平型導体の挿抜方向に延びており、上記金具部材が該接触腕よりも上方位置で該挿抜方向に延びている支持腕を有し、該支持腕が上記加圧部材を回動可能に支持する支持部を有しており、上記ハウジングの前部側上面を覆うようにシールド板が該ハウジングに取り付けられていることを特徴とする平型導体用電気コネクタ。
【請求項２】
金具部材は支持腕の上縁でシールド板と接触していることとする請求項１に記載の平型導体用電気コネクタ。
【請求項３】
一つの保持部に対し、前縁側から金具部材が挿着され、後縁側から端子が挿着されていることとする請求項１又は請求項２に記載の平型導体用電気コネクタ。
【請求項４】
加圧部材は閉位置にて端子配列範囲を少なくとも部分的の覆う大きさに作られており、少なくとも端子配列範囲に対応する部分と金具部材に接触する部分に金属層が形成されていることとする請求項１に記載の平型導体用電気コネクタ。
【請求項５】
加圧部材は金属材で作られていることとする請求項４に記載の平型導体用電気コネクタ。
【請求項６】
加圧部材は、閉位置にて、シールド板と相俟ってコネクタの上面をほぼ全域で覆っていいることとする請求項４又は請求項５に記載の平型導体用電気コネクタ。
【発明の詳細な説明】
【技術分野】
【０００１】
本発明は、平型導体用電気コネクタに関する。
【背景技術】
【０００２】
この種の電気コネクタは、例えば、特許文献１に開示されているコネクタが知られている。
【０００３】
特許文献１に開示されているコネクタでは、ハウジングは回路基板上に取り付けられる底壁と、平型導体の挿入方向たる前方部に該底壁と対向した上壁とを有し、該底壁と上壁との間に形成された保持溝へ端子が前方から挿入され、該端子の接触腕が上記上壁の範囲よりも後方へ延びている。該端子は上記保持溝で保持される基部の下部から後方に延びる接触腕と該基部の上部から後方に延び該接触腕よりも短い上腕部を有している。該端子は金属板の板面を維持して作られており、該板面に直角な方向に所定間隔をもって複数配列されている。上記端子の上腕部を覆うハウジングの上壁には金属カバーが取り付けられている。該金属カバーは前後方向で上記端子の範囲に及んでいる。該金属カバーよりも後方域には、ハウジングは開口部が形成されていて、該開口部に回動自在な加圧部材（アクチュエータ）が設けられている。該加圧部材は、その回動によって、平型導体を接触腕の接触部に対して圧するようになっていて、該加圧部材は、その回動のために、上記端子の配列方向での両端に軸部を有し、ハウジングにより回動自在に支持されているが、上記両端の間においても、該加圧部材の前縁に設けられた突起部が金属カバーの後縁に形成された孔状の受部に係合して、ここでも回動支持されている。
【特許文献１】特開２００４−３６３０５８
【発明の開示】
【発明が解決しようとする課題】
【０００４】
このような特許文献１のコネクタにあっては、端子が接触腕の上方位置に支持腕をも有しているが故に、基部の部分にて高さ寸法の大きいものとなっており、ハウジングの上面に配される金属カバーが上記端子の基部と接触しないように、ハウジングは上記基部と金属カバーとの間に上壁を有している。したがって、特許文献１は、コネクタの薄型化、すなわち高さ寸法を小さくすることを狙いとするが、上記上壁の分だけ薄型化の効果が乏しく、この点で改善の余地があった。
【０００５】
本発明は、このような事情に鑑み、加圧部材の回動支持を確実に行いつつ、コネクタの高さ方向における小型化、すなわち低背化をさらに実現できる平型導体用電気コネクタを提供することを課題とする。
【課題を解決するための手段】
【０００６】
本発明に係る平型導体用電気コネクタは、金属板の平坦な板面を維持して作られた複数の端子がそれらの板面同士を平行としてハウジングにより配列保持され、各端子はハウジングへの取付けのための被取付部が設けられている基部から延びる接触腕を有し、上記ハウジングが上記接触腕の接触部上へハウジング外から前方に向け挿入される平型導体の先端部を受入れ可能とした受入部を形成しており、この平型導体の受入れを容易とする開位置から該平型導体を上記接触腕へ圧する閉位置の間で回動可能な加圧部材がハウジングの後部側に設けられていて、該加圧部材が閉位置への回動で平型導体と上記接触部との接圧を高めるようになっている。
【０００７】
かかる平型導体用電気コネクタにおいて、本発明では、金属板から作られていてその板面が端子の板面と平行をなしている金具部材を有し、ハウジングは端子の配列方向に複数の保持部が所定間隔で形成されていて、該保持部で上記端子及び金具部材が保持されており、該端子の接触腕がハウジングの底壁側で平型導体の挿抜方向に延びており、上記金具部材が該接触腕よりも上方位置で該挿抜方向に延びている支持腕を有し、該支持腕が上記加圧部材を回動可能に支持する支持部を有しており、上記ハウジングの前部側上面を覆うようにシールド板が該ハウジングに取り付けられていることを特徴としている。
【０００８】
このように構成される本発明のコネクタでは、金具部材は端子よりも高い位置にある。すなわち、端子は金具部材よりも低い位置にある。したがって、ハウジングの高さ寸法を小さくするためにハウジングの上壁をなくしてこのハウジングの上面に直接シールド板を配しても端子はシールド板と接触せず短絡されることはない。そして金具部材はシールド板と接触しても一向に支障ないので、コネクタは上記の上壁がない分、高さ方向での小型化が可能となる。
【０００９】
本発明において、金具部材は支持腕の上縁でシールド板と接触しているようにしてもよい。この場合は、金具部材はシールド板を接地することができる。これに加え、隣接金具部材同士間に端子が配置されている形態とすることもできる。
【００１０】
本発明では、一つの保持部に対し、前縁側から金具部材が挿着され、後縁側から端子が挿着されているようにすることができる。このように同列の保持部に金具部材と端子を挿着すると、複数の保持部のすべてに端子を配置できると共に金具部材を設けることにより端子配列方向での寸法が大きくなることはない。しかも金具部材の数を多くすることができるので加圧部材の回動支持における強度が大となる。
【００１１】
又、本発明では、加圧部材は閉位置にて端子配列範囲を少なくとも部分的の覆う大きさに作られており、少なくとも端子配列範囲に対応する部分と金具部材に接触する部分に金属層が形成されているようにすることができ、シールド板と加圧部材が互いに導通して広い範囲でシールド機能が得られ、金具部材との接触により接地される。この場合、加圧部材は金属材で作られているようにすることができる。上記加圧部材は、閉位置にて、シールド板と相俟ってコネクタの上面をほぼ全域で覆っていることが好ましい。
【発明の効果】
【００１２】
本発明は、以上のように、加圧部材を回動支持する金具部材よりも端子を高さ寸法の小さいものとし、ハウジングの上壁を除去しても端子とシールド板とが接触することはなくなるので、上記上壁を除去することにより、その分だけコネクタの低背化をさらに促進でき、しかも、金具部材による加圧部材の回動支持時の強度を維持しつつ、シールド板によるシールド特性をも何の支障もなく得られる。
【発明を実施するための最良の形態】
【００１３】
以下、添付図面にもとづき、本発明の実施の形態を説明する。
【００１４】
図１は本実施形態の平型導体用電気コネクタの全体外観を示す斜視図、図２は図１のコネクタで、シールド板を分離して示す斜視図、図３は図１のコネクタで、加圧部材が開状態で平型導体の挿入前を示す斜視図である。
【００１５】
コネクタ１は、平面形状が略四角形で全体として薄い平型に作られている。該コネクタ１は、回路基板（図示せず）上に配置されるハウジング１０と、該ハウジング１０に列置される二種の端子２０，３０（図１では端子３０のみが見え、端子２０は見えていない）と、該ハウジング１０に列置される金具部材４０と、該金具部材４０により回動可能に支持される加圧部材５０と、ハウジング１０に取り付けられたシールド板６０とを有している。
【００１６】
本発明のコネクタ１に接続される平型導体Ｐの一例としては、コネクタ１へ挿入される側の前部に、補強用そしてシールド用としてのメタルシートＰ１が設けられており、前後方向にて上記メタルシートＰ１の範囲に、側縁を切欠いた被係止部Ｐ２が形成されている。該被係止部Ｐ２はコネクタ１への挿入後に、ハウジングに設けられた、後述の突起たる係止部と係止して、平型導体Ｐの後方への抜けを防止する。
【００１７】
図３に対応し、端子の配列方向で端子２０の位置での断面を示す図４、そして該端子２０同士間に位置するもう一種の端子３０と金具部材４０での断面を図５に見られるように、平型導体Ｐは、電気絶縁材料で作られた帯状体Ｐ０内にシールド層Ｐ３と導線部Ｐ４とを有している。シールド層Ｐ３は、平型導体Ｐ０の幅方向（図４にて紙面に対して直角であり、端子の配列方向でもある）では、広い範囲にわたり、又、前後方向では、前端が上記メタルシートＰ１の後端域に対応して位置しここから後方へ延びており、上記前端がメタルシートＰ１の後端域と導通している。
【００１８】
導線部Ｐ４は、平型導体Ｐの幅方向で定間隔に多数配列されていて線状に後方へ延びている。この導線部Ｐ４は、二種の導線部Ｐ４Ａ導線部Ｐ４Ｂが交互に配されて構成されており、図４に見られるように導線部Ｐ４Ｂの方が平型導体Ｐの前端縁により近い位置まで延びている。また、上記導線部Ｐ４Ａ，Ｐ４Ｂは、電気絶縁材料の帯状体Ｐ０の下層が前部にて除去されることにより、この前部の範囲で下面側に露呈している。
【００１９】
図４において、電気絶縁材料をモールド成形して作られたハウジング１０は、回路基板（図示せず）上に配置される底壁１１と、平型導体Ｐの挿入方向Ａにて、前端側位置にて上記底壁１１から上方に起立する前端壁１２と、図２に見られるように、幅方向両端で上記底壁１１から起立する側壁１３とを有している。図４にて、上記前端壁１２には、端子２０を保持するために、紙面に平行で前後に貫通するスリット孔状の保持部１４が形成されている。この保持部１４は、紙面に平行な板面をもつ後述の端子２０の一部分が挿入される空間を形成し、紙面に直角方向でのスリット幅は板状の上記端子２０の厚みに相当していて、比較的狭い。端子２０は上記保持部１４の上下縁の間で挟持される。該保持部１４は、上記平型導体Ｐ４Ａが接続する後述の端子２０の配列方向位置に対応して形成されている。
【００２０】
上記ハウジング１０の底壁１１の上面には、上記前端壁１２よりも後方範囲に、上記保持部１４から後方に延長された延長溝１５が形成されている。
【００２１】
また、上記前端壁１２には、端子２０が圧入される上記端子の保持のためのスリット孔状の保持部１４同士間に、図５に見られるように、後述する金具部材４０の一部分を圧入してこれを保持するためのスリット孔状の保持部１６が形成されている。上記底壁１１の上面には、上記保持部１６から後方に延長されて形成された延長溝が端子３０の保持のための溝状の保持部１７として形成されている。この保持部１７は、上記の端子２０のための保持部１４が延長された延長溝１５と平行に形成されていて、底壁１１の後端縁では、該底壁１１の下面にまでまわり込んで形成されている。溝状の上記保持部１７は、コネクタの高さ方向で上記延長溝１５と同じ位置にあり、又、溝深さも同じである。この端子３０のための保持部１７に対して前方に位置し該保持部１７に連通している金具４０のための保持部１６は、溝状の該保持部１７と同じ高さ位置であり同じ高さ寸法であり、端子配列方向で隣接せる上記保持部１４よりも溝の上縁位置が低い。このスリット孔状の保持部１６が形成されている前端壁１２の上面には、該保持部１６と平行に前後に延び上方に開口された金具４０の後述の支持腕の一部を収容する収容溝１８が形成されている。該収容溝１８は前端壁１２の前端面にてスリット孔状の上記保持部１７と連通している。
【００２２】
又、上記ハウジング１０の底壁１１の上面には、端子配列方向で端子配列範囲外にあって側壁１３寄り位置に、係止突起１９が設けられている。該係止突起１９は、上記端子配列方向（平型導体の幅方向でもある）にて、平型導体Ｐの被係止部Ｐ２に対応する位置に設けられており、後面が緩いテーパ面、前面が急なテーパ面となっている。
【００２３】
さらに、側壁１３は、図２に見られるごとく、前後方向中間位置にて上面が段状をなし、後部１３Ａが高く、前部１３Ｂが低くなっており、加圧部材５０を後方に逃げないようにしている。
【００２４】
上記端子２０，３０そして金具部材４０は、金属板の平坦な板面をそのまま維持して作られている。
【００２５】
端子２０は、図４のごとく、ハウジング１０の前端壁１２に該端子２０の保持のために形成されたスリット孔状の保持部１４へ圧入により取り付けられる被取付部２１と、該被取付部２１から後方に延びる接触腕２２と、上記被取付部２１を有する基部から前方へ向けハウジング１０外に突出する接続部２３とを有している。
【００２６】
上記被取付部２１は上記保持部１４に収まる大きさに作られていて、所定位置までの圧入時に該保持部１４の上端内縁へ喰い込む突起２１Ａを有している。
【００２７】
上記接触腕２２は、上記被取付部２１がスリット孔の保持部１４へ所定位置に圧入されたときに、該接触腕２２のほぼ全体にわたり延長溝１５内に収められている。該接触腕２２は、その後端に上方へ向けた突状の接触部２２Ａを有しており、該接触部２２Ａの少なくとも頂部が上記延長溝１５より上方に突出している。上記接触腕２２は上下方向に撓めるように弾性を有しており、上記接触部２２Ａで平型導体Ｐからの圧力を受けて弾性変位するようになっている。
【００２８】
上記接続部２３は、コネクタが回路基板に配置されたときに、該接続部２３の下縁が回路基板の対応回路部と接面し、ここに半田接続されるようになっている。又、上記接続部２３は後縁に湾曲した固定溝２３Ａが形成されていて、ハウジング１１の底壁１２の前端縁に嵌着されることにより取り付けられて端子２０のハウジングによる保持をさらに強固にしている。
【００２９】
複数の端子２０をそれぞれ保持している保持部１４同士間に形成されている、保持部１６で保持されている金具部材４０は、図５に見られるように、該保持部１６に圧入される被取付部４１と、該被取付部４１の上方にあって該被取付部４１と平行に後方へ延びる支持腕４２と、被取付部４１と支持腕４２とを前端側で連結している連結部４３とを有している。
【００３０】
被取付部４１は、端子２０の突起２１Ａと同様な突起４１Ａを有しており、該被取付部４１がスリット孔状の保持部１６へ圧入により取り付けられた際、保持部の上端内縁に上記突起４１Ａに喰い込んで、抜けを防止する。
【００３１】
支持腕４２は、ハウジング１０の前端壁１２の上面に形成された収容溝１８内から後方へ突出してさらに延びており、前後方向でのハウジング１０の中央位置を越えている。該支持腕４２の後端部には、上方へそして次に後方へ向け屈曲された支持部４２Ａを有している。該支持部４２Ａはその下縁で後述の加圧部材５０を回動可能に支持する。金具部材４０は、端子配列方向、すなわち加圧部材５０の長手方向に複数分布して設けられているので、この加圧部材は同方向で複数箇所で支持部４２Ａにより回動案内支持され、外力を受けても撓みにくくなり、外れが防止される。
【００３２】
上記金具部材４０の被取付部４１が圧入されているスリット状の保持部１６から後方に延びて形成されている溝状の保持部１７で保持されている端子３０は、接触腕３１と接続部３２とを有し、接触腕３１と接続部３２はハウジングの保持部１７から後方に突出している後端部で連結されている。上記接触腕３１は、前方に延びそのほとんどが上記溝状の保持部１７内に位置しており、前端にて上方に向けた突状の接触部３１Ａの頂部のみが上記保持部１７よりも上方へ突出している。上記接触腕３１は弾性を有しており、接触部３１Ａで平型導体からの圧力を受けて、弾性変位するようになっている。この接触部３１Ａは、図５そして図４から判るように、端子２０の接触部２２Ａよりも前方に位置している。接続部３２は、コネクタが回路基板上に配されたときに、該接続部３２の下縁が該回路基板の対応回路部に接面し、ここに半田接続されるようになっている。該接続部３２の前部には、湾曲内面で形成された被取付部となる固定溝３２Ａが形成されていて、ハウジングの底壁１１の後端縁へ前方に向け嵌着されることにより取り付けられて、端子３０のハウジングによる保持をさらに強固にしている。
【００３３】
上記金具部材４０の支持部４２Ａにより回動自在に支持される加圧部材５０は、図示の例では、ハウジング１０と同様な電気絶縁材から作られており、端子配列方向では、ハウジングの両方の側壁１３の間にわたって延びる板状をなし、図４及び図５に示される開状態で上方に延びる操作部５１と、下部に位置する被支持部５２とを有している。加圧部材５０は、図５の状態での下部に、端子配列方向で金具部材４０に対応する位置で、スリット状の孔部５３が貫通形成されていて、図５に見られるように、該孔部５３より下方部分が島状をなし、ここが被支持部５２を成している。上記孔部５３は、被支持部５２が金具部材４０の支持部４２Ａで支持しながら、図５の状態から反時計まわりに回動する際に支障のない大きさとなっている。この加圧部材５０は、図１に見られるように、図３そして図５の開状態から図１の閉状態へ回動したときには、コネクタの後部を覆う。
【００３４】
又、上記加圧部材５０は、上記被支持部５２以外にも、端子配列方向両端の側面に、例えば軸部を有していて、ハウジングによって回動案内されるようにすることも可能である。
【００３５】
上記ハウジング１０に取り付けられているシールド板６０は、金属板を屈曲して作られており、図２に見られるように、ハウジングの前部を覆う平板部６１と、端子配列方向の両端側で該平板部６１から後方へ延出する被ガイド腕部６２と、上記平板部６１の前縁から下方に屈曲された前端部６３とを有している。
【００３６】
平板部６１は、シールド板６０がハウジング１０に取り付けられたとき、閉位置における加圧部材５０よりも前方でハウジング１０を覆う大きさそして形状となっており、その後縁には、金具部材４０の支持部４２Ａの逃げのための切欠溝６１Ａが各金具部材４０に対応して形成されている。被ガイド腕部６２は、断面が逆Ｌ字状をなし、ハウジング１０の側壁１３の上面そして側面に沿う形をなしており、その延出長さは、この側壁１３の前部１３Ｂ及び後部１３Ａの範囲にわたるようになっている。
【００３７】
上記前端部６３はハウジング１０の前端壁１２の前端面に沿って下方に延び、該前端壁１２の高さの中間位置まで及んでいる。
【００３８】
上記シールド板６０は、上記被ガイド腕部６２がハウジングの側壁１３に接面して案内されながら圧入係止され、ハウジングの後方から該ハウジングへ取り付けられる。
【００３９】
このように、シールド板６０がハウジング１０へ取り付けられると、該ハウジング１０の底壁１１とシールド板６０との間に、後方へ開口せる空間で、平型導体のための受入部７０が形成される。
【００４０】
既述のように、金具部材４０は、被取付部４１から上方に立ち上がり該被取付部４１よりも上方位置に支持腕４２を有しているので、該支持腕４２の上縁が端子２０そして端子３０よりも上方に位置している。したがって、上記シールド板６０をハウジング１０に取り付けた場合、該シールド板６０の平板部６１が金具部材４０と接触することはあっても、該シールド板６０は端子２０，３０と接触することはない。
【００４１】
次に、以上のような本実施形態のコネクタについての使用要領を説明する。
【００４２】
（１）先ず、コネクタ１の加圧部材５０を、図４そして図５、さらには図３に見られるように、起立せる開位置にもたらす、加圧部材５０は、複数箇所に形成された被支持部５２がそれぞれの金具部材４０の支持部４２Ａで支持されつつ回動されて上記開位置にもたらされる。ハウジング１０の底壁１１とシールド板６０との間の空間で形成される受入部７０は、上記加圧部材５０が開位置にもたらされると、左方に大きく開放される。
【００４３】
（２）次に、平型導体ＰをＡ方向に移動して上記受入部７０へ挿入する。平型導体Ｐはその前端がハウジング１０の前端壁１２の後面に当接して規定の挿入位置にもたらされる。
【００４４】
（３）しかる後、加圧部材５０を、図６に示すように、回動して閉位置へもたらす。該加圧部材５０は平型導体Ｐを圧し、該平型導体Ｐの導線部Ｐ４Ａそして導線部Ｐ４Ｂが、端子２０の接触部２２Ａそして端子３０の接触部３１Ａとそれぞれ接圧をもって電気的に接続される。この接圧によって、接触部２２Ａが形成されている接触腕２２そして接触部３１Ａが形成されている接触腕３１はそれぞれ下方へ弾性変位する。
【００４５】
本発明は、図示しそして説明した形態以外にも種々変形が可能である。
【００４６】
例えば、本発明では既述したように、端子の上端縁よりも金具部材の上端縁の方が上方に位置しているので、コネクタの高さ寸法を小さくすることを目的として、シールド板は金具部材の上端縁に至近させても、あるいは接触させても、端子と接触することはない。シールド板を金具部材に接触させるときには、金具部材に接地部を設けることにより、該シールド板を接地させることができる。
【００４７】
加圧部材はシールド板と共に、コネクタの上面をほぼ全面的に覆っており、ハウジング内への塵埃の侵入防止を図れるが、加圧部材を金属で作るか、あるいは表面に金属層を設けて、この加圧部材が金属部材と接触しているようにすれば、防塵効果に加え、コネクタを全面的にシールドできるという効果を得る。
【００４８】
本発明は、金具部材が一種の端子と交互に配置されていなくとも、端子配列範囲で、適宜複数位置に設けられているだけでも十分である。
【図面の簡単な説明】
【００４９】
【図１】本発明の一実施形態としての平型導体用電気コネクタの全体外観を示す斜視図である。
【図２】図１のコネクタについて、シールド板を分離したときの斜視図である。
【図３】図１のコネクタを加圧部材の開状態時で示すと共に、挿入前の平型導体をも示す斜視図である。
【図４】図１のコネクタを、保持せる二種の端子のうちの一方の端子の位置で、挿入前の平型導体と共に示される断面図である。
【図５】図４のコネクタと挿入前の平型導体を他方の端子そして金具部材の位置で示す断面図である。
【図６】図５のコネクタを、挿入後の平型導体と共に示す断面図である。
【符号の説明】
【００５０】
１  コネクタ                        ４０  金具部材
１０  ハウジング                    ４２  支持腕
１４  保持部                        ４２Ａ  支持部
１６  保持部                        ５０  加圧部材
１７  保持部                        ６０  シールド板                          
２０  端子                          Ｐ  平型導体
２２  接触腕                    
２２Ａ  接触部
３０  端子
３１  接触腕
３１Ａ  接触部
【図１】
2009277563.tif 000003
【図２】
2009277563.tif 000004
【図３】
2009277563.tif 000005
【図４】
2009277563.tif 000006
【図５】
2009277563.tif 000007
【図６】
2009277563.tif 000008